(57)【要約】【課題】  装置内から無駄に用紙を排出することを防ぐ画像形成装置を提供する。【解決手段】  用紙を載置する為の給紙トレイと、給紙トレイに載置された用紙を搬送するための用紙搬送手段と、用紙搬送手段により搬送されている用紙上に画像を形成するための画像形成手段と、画像形成中止要因を検出する画像形成中止要因検出手段と、を有する画像形成装置であって、画像形成中止要因検出手段により画像形成中止要因を検出した後、搬送中の用紙への画像形成状況に応じて用紙を所定の位置まで搬送する。【選択図】  図１
2006007701.tif 000002
【特許請求の範囲】
【請求項１】
用紙を載置する為の給紙トレイと、
前記給紙トレイに載置された用紙を搬送するための用紙搬送手段と、
前記用紙搬送手段により搬送されている用紙上に画像を形成するための画像形成手段と、
画像形成中止要因を検出する画像形成中止要因検出手段と、を有する画像形成装置であって、
前記画像形成中止要因検出手段により画像形成中止要因を検出した後、搬送中の用紙への画像形成状況に応じて該用紙を所定の位置まで搬送することを特徴とした画像形成装置。
【請求項２】
前記画像形成中止要因検出手段は、ユーザからの印刷中止要求を検出することを特徴とする請求項１記載の画像形成装置。
【請求項３】
前記画像形成中止要因検出手段は、インクエンドを検出することを特徴とする請求項１記載の画像形成装置。
【請求項４】
前記画像形成中止要因検出手段は、印刷可能温度範囲外であることを検出することを特徴とする請求項１記載の画像形成装置。
【請求項５】
前記所定の位置は、画像形成されている用紙の場合は排紙トレイであり、画像形成されていない用紙の場合は前記給紙トレイであることを特徴とする請求項１から４のいずれか１項に記載の画像形成装置。
【請求項６】
搬送路上に画像形成されている用紙と画像形成されていない用紙とが存在する場合は、前記画像形成されていない用紙を先に給紙トレイに搬送した後、前記画像形成されている用紙を排紙トレイに搬送することを特徴とする請求項５記載の画像形成装置。
【請求項７】
前記給紙トレイに前記用紙を搬送する際は、
用紙先端位置から給紙トレイ先端位置までの距離＋α(α≧0)の距離を搬送できるだけの副走査駆動をし、
前記排紙トレイに搬送する際は、
用紙後端位置から排紙完了位置までの距離＋β(β≧0)の距離を搬送できるだけの副走査駆動をすることを特徴とする請求項５又は６記載の画像形成装置。
【発明の詳細な説明】
【技術分野】
【０００１】
本発明は画像形成制御中止時の制御を行う画像形成装置に関する。
【背景技術】
【０００２】
従来、プリンタ装置等の画像形成装置の中には、用紙送給中または、画像形成中にユーザからの画像形成中止要求が発生した場合など画像形成を中止する必要があるときには、機内の全用紙を自動的に機外に排出するようにしているものがある。
【０００３】
従来技術例として、手差し給紙時キャンセル信号を受けると印写終了し、記録紙を搬送手段により排出する画像形成装置の記録紙処理装置および情報処理装置がある（例えば、特許文献１参照）。また、ユーザから印刷を中止する要求を受けた時、搬送された用紙を排紙する印刷制御装置、印刷制御方法、プログラム及び記録媒体がある（例えば、特許文献２参照）。また、プリントを中止した時は排紙をする乗り物搭載用インクジェットプリントシステムおよび乗り物搭載用インクジェットプリンタのプリント方法がある（例えば、特許文献３参照）。また、画像形成処理を中止する中止手段を有し、この中止手段による中止処理後、給送手段により給送された記録媒体を自動排出する排出手段を具備する画像形成装置がある（例えば、特許文献４参照）。また、利用者から印刷中止を指示されたら印字動作を中止し印刷途中の記録紙を排出するファクシミリ装置がある（例えば、特許文献５参照）。
【特許文献１】特開２０００−２２７７４０号公報
【特許文献２】特開２００３−３１２０９２号公報
【特許文献３】特開２００３−１９７８８号公報
【特許文献４】特開平３−９５５６８号公報
【特許文献５】特開平７−３０３１８３号公報
【発明の開示】
【発明が解決しようとする課題】
【０００４】
しかしながら、上記従来技術例における画像形成装置の場合、まだ、画像形成されていない利用可能な用紙まで無条件に機内から排出されてしまう為、この排出された用紙が無駄になってしまう。
【０００５】
本発明は、上記事情に鑑みてなされたものであり、搬送用紙に対する画像形成状況に応じて画像形成中止時の用紙の搬送位置を変えることにより、機内から無駄に用紙を排出することを防ぐこと目的とする。
【０００６】
また、本発明は、ユーザからの画像形成中止要求を受けた時に用紙の搬送位置を変えることにより、機内から無駄に用紙を排出することを防ぐこと目的とする。
【０００７】
また、本発明は、インクエンドを検出した時に用紙の搬送位置を変えることにより、機内から無駄に用紙を排出することを防ぐこと目的とする。
【０００８】
また、本発明は、印刷可能温度範囲外を検出した時に用紙の搬送位置を変えることにより、機内から無駄に用紙を排出することを防ぐこと目的とする。
【０００９】
また、本発明は、画像形成されていない用紙は給紙トレイに自動的に収容し、画像形成中の用紙は自動的に排出トレイ排出することにより、ユーザに手間をかけないようにすることを目的とする。
【００１０】
また、本発明は、画像形成されていない用紙を先にトレイに搬送することにより用紙がダメージを受ける可能性を抑えることを目的とする。
【００１１】
また、本発明は、画像形成されていない用紙は確実に給紙トレイに収容し、画像形成中の用紙は確実に排紙トレイに排出できるようにすることを目的とする。
【課題を解決するための手段】
【００１２】
かかる目的を達成するために、請求項１記載の発明は、用紙を載置する為の給紙トレイと、給紙トレイに載置された用紙を搬送するための用紙搬送手段と、用紙搬送手段により搬送されている用紙上に画像を形成するための画像形成手段と、画像形成中止要因を検出する画像形成中止要因検出手段と、を有する画像形成装置であって、画像形成中止要因検出手段により画像形成中止要因を検出した後、搬送中の用紙への画像形成状況に応じて用紙を所定の位置まで搬送することを特徴とする。
【００１３】
請求項２記載の発明は、請求項１記載の発明において、画像形成中止要因検出手段は、ユーザからの印刷中止要求を検出することを特徴とする。
【００１４】
請求項３記載の発明は、請求項１記載の発明において、画像形成中止要因検出手段は、インクエンドを検出することを特徴とする。
【００１５】
請求項４記載の発明は、請求項１記載の発明において、画像形成中止要因検出手段は、印刷可能温度範囲外であることを検出することを特徴とする。
【００１６】
請求項５記載の発明は、請求項１から４のいずれか１項に記載の発明において、所定の位置は、画像形成されている用紙の場合は排紙トレイであり、画像形成されていない用紙の場合は給紙トレイであることを特徴とする。
【００１７】
請求項６記載の発明は、請求項５記載の発明において、搬送路上に画像形成されている用紙と画像形成されていない用紙とが存在する場合は、画像形成されていない用紙を先に給紙トレイに搬送した後、画像形成されている用紙を排紙トレイに搬送することを特徴とする。
【００１８】
請求項７記載の発明は、請求項５又は６記載の発明において、給紙トレイに用紙を搬送する際は、用紙先端位置から給紙トレイ先端位置までの距離＋α(α≧０)の距離を搬送できるだけの副走査駆動をし、排紙トレイに搬送する際は、用紙後端位置から排紙完了位置までの距離＋β(β≧０)の距離を搬送できるだけの副走査駆動をすることを特徴とする。
【発明の効果】
【００１９】
本発明によれば、搬送用紙に対する画像形成状況に応じて画像形成中止時の用紙の搬送先を切り分けることが可能となる為、機内から無駄に用紙を排出することを防ぐことができる。
【発明を実施するための最良の形態】
【００２０】
以下、本発明を実施するための最良の形態について添付図面を参照して詳細に説明する。
【００２１】
本発明の実施例を、以下詳細に説明する。図１は本発明の実施例として示すプリンタの搬送路レイアウト図である。
給紙トレイ２に積載された用紙２２は印刷要求を受けると搬送ローラ２３，３２，３７，３８，５２が回転することにより搬送路上を搬送されていく。さらに搬送途中で記録ヘッド１４により用紙上に画像が形成される。画像形成が完了した用紙は排紙トレイ３に排出される。
【００２２】
図２は上記の用紙搬送、画像形成中にユーザからの画像形成中止要求が発生した際の本発明の実施例をフローチャートで示したものである。
画像形成中止要因であるユーザからの画像形成中止要求を検出すると、搬送路上に画像形成されていない用紙があるかどうかを判断する（Ｓ２０１）。画像形成されていない用紙があれば画像形成されていない用紙を図１の搬送ローラ２３，３２，３７，３８，５２を画像形成の為の搬送時と逆方向に回転させ、給紙トレイに搬送する（Ｓ２０２）。これにより従来技術では利用可能であるにもかかわらず、排出されてしまい無駄になっていた用紙を利用することができるようになる。
【００２３】
また、この時画像形成されていない用紙をトレイに搬送する際は、用紙先端位置から給紙トレイ先端位置までの距離＋αmm(α≧０)の距離を搬送できるだけの副走査駆動を実施する。これにより確実に給紙トレイに用紙を搬送することが可能となる。ここでαは消費電力の点から必要最小限であるほうがよく、用紙搬送中のローラ空周り分を考慮し３０mm前後が望ましい。
【００２４】
次に、Ｓ２０１において搬送路上に画像形成されていない用紙がないと判断した場合、もしくはＳ２０２において画像形成されていない用紙を給紙トレイに搬送することが終了したら搬送路上に画像形成されている用紙があるかどうかを判断する（Ｓ２０３）。搬送路上に画像形成されている用紙があれば、その用紙を図１の搬送ローラ２３，３２，３７，３８，５２を画像形成の為の搬送時と同じ方向に回転させ、排紙トレイに排出し制御を終了する（Ｓ２０４）。
【００２５】
この時画像形成されている用紙をトレイに搬送する際は、用紙後端位置から排紙完了位置までの距離＋βmm(β≧０)の距離を搬送できるだけの副走査駆動を実施する。これにより確実に排紙トレイに用紙を搬送することが可能となる。ここでβは消費電力の点から必要最小限であるほうがよく、用紙搬送中のローラ空周り分を考慮し３０mm前後が望ましい。
【００２６】
また、本発明の実施例として示すプリンタは搬送路上に１枚以上の用紙が存在することが可能であり、画像形成されていない用紙と画像形成されている用紙が存在する可能性がある。このような場合は図２のフローチャートが示すように、まず先に画像形成されていない用紙を給紙トレイに搬送し、その後、画像形成されている用紙を排紙トレイに搬送する。これにより画像形成されていない用紙、つまり利用可能な用紙が機内に存在する時間が最小となり、機内で用紙が損傷する可能性を最小限に抑えることができる。
【００２７】
さらに、上記実施例のようにユーザからの画像形成中止要求を検出した場合以外にもインクエンドを検出した時、印刷可能温度範囲外であることを検出した時も同様の制御を適用することができる。
【００２８】
以上、本発明の実施例によれば、搬送用紙に対する画像形成状況に応じて画像形成中止時の用紙の搬送先を切り分けることが可能となる為、機内から無駄に用紙を排出することを防ぐことができる。
【００２９】
また、本発明の実施例によれば、ユーザからの画像形成中止要求を受けた場合、搬送用紙に対する画像形成状況に応じて画像形成中止時の用紙の搬送先を切り分けることが可能となる為、機内から無駄に用紙を排出することを防ぐことができる。
【００３０】
また、本発明の実施例によれば、インクエンドを検出した場合、搬送用紙に対する画像形成状況に応じて画像形成中止時の用紙の搬送先を切り分けることが可能となる為、機内から無駄に用紙を排出することを防ぐことができる。
【００３１】
また、本発明の実施例によれば、印刷可能温度範囲外であることを検出した場合、搬送用紙に対する画像形成状況に応じて画像形成中止時の用紙の搬送先を切り分けることが可能となる為、機内から無駄に用紙を排出することを防ぐことができる。
【００３２】
また、本発明の実施例によれば、画像形成されていない用紙は給紙トレイに自動的に収容され、画像形成中の用紙は自動的に排出トレイに排出される為、ユーザに手間がかからない。
【００３３】
また、本発明の実施例によれば、画像形成されていない用紙を先に給紙トレイに搬送することにより機内に存在する時間を短くし用紙がダメージを受ける可能性を抑えることができる。
【００３４】
また、本発明の実施例によれば、画像形成されていない用紙は確実に給紙トレイに収容し、画像形成中の用紙は確実に排紙トレイに排出させることができる。
【００３５】
以上、本発明の実施例について説明したが、上記実施例に限定されるものではなく、その要旨を逸脱しない範囲において種々の変形が可能である。
【図面の簡単な説明】
【００３６】
【図１】本発明の実施例であるプリンタの搬送路を示すレイアウト図である。
【図２】本発明の実施例である示すプリンタの動作を示すフローチャートである。
【符号の説明】
【００３７】
２    給紙トレイ
３    排紙トレイ
２２    用紙
２３、３２、３７、３８、５２    搬送ローラ
【図１】
2006007701.tif 000003
【図２】
2006007701.tif 000004